(57)【要約】      （修正有）【課題】キャリアボードに載置するフレキシブル基板のカッタ・スクレーパ構造を提供する。【解決手段】２個のカッタ１と１個のスクレーパ２とを含み、それらカッタの一端が各々カット端部１０を有し、該スクレーパがそれらカッタの間に設けられ、該スクレーパの一端が掻き落とし端部１０を有し、該掻き落とし端部とそれらカット端部とが同一平面上にあり、かつ該掻き落とし端部２０がそれらカット端部の後方に位置する。これを介して、カッタとスクレーパを操作設備に結合させて使用でき、またカッタでキャリアボードに載置するフレキシブル基板をカットする時、スクレーパでカット経路の残材を掻き落とし、該カットした後のフレキシブル基板と廃枠材の間に剥離ゾーンを発生させることで、該剥離ゾーンを利用してキャリアボード上からカットした後のフレキシブル基板を剥離させ、従って簡単にフレキシブル基板を剥離させる効果を奏することができる。【選択図】図１
0003215220.tif 000002
【実用新案登録請求の範囲】
【請求項１】
一端が各々カット端部を有する２個のカッタと、
前記カッタの間に設けられ、一端が掻き落とし端部を有し、前記掻き落とし端部と前記カット端部とが同一平面上にあり、かつ前記掻き落とし端部が前記カット端部の後方に位置するスクレーパと、
を含むことを特徴とするキャリアボードに載置するフレキシブル基板のカッタ・スクレーパ構造。
【請求項２】
前記カッタは、各々固定部と、前記固定部の下方に設けられるカット部とを含み、前記カット端部が各々前記カット部の先端に設けられることを特徴とする請求項１に記載のキャリアボードに載置するフレキシブル基板のカッタ・スクレーパ構造。
【請求項３】
前記固定部は、各々位置決め溝を備え、前記位置決め溝が前記カッタの頂面に連通する縮小通路エリア及び前記縮小通路エリアに連通する制限エリアを各々有することを特徴とする請求項２に記載のキャリアボードに載置するフレキシブル基板のカッタ・スクレーパ構造。
【請求項４】
前記カット部は、各々フック状を呈することを特徴とする請求項２に記載のキャリアボードに載置するフレキシブル基板のカッタ・スクレーパ構造。
【請求項５】
前記スクレーパは、各々固定部と、前記固定部の下方に設けられる掻き落とし部とを含み、前記掻き落とし端部が前記掻き落とし部の先端に設けられることを特徴とする請求項１に記載のキャリアボードに載置するフレキシブル基板のカッタ・スクレーパ構造。
【請求項６】
前記固定部は、位置決め溝を備え、前記位置決め溝が前記スクレーパの頂面に連通する縮小通路エリア及び前記縮小通路エリアに連通する制限エリアを有することを特徴とする請求項５に記載のキャリアボードに載置するフレキシブル基板のカッタ・スクレーパ構造。
【請求項７】
前記掻き落とし部は、細い嘴状を呈することを特徴とする請求項５に記載のキャリアボードに載置するフレキシブル基板のカッタ・スクレーパ構造。
【請求項８】
前記カッタと前記スクレーパは、締結手段により操作設備に結合されることを特徴とする請求項１に記載のキャリアボードに載置するフレキシブル基板のカッタ・スクレーパ構造。
【考案の詳細な説明】
【技術分野】
【０００１】
本考案は、キャリアボードに載置するフレキシブル基板のカッタ・スクレーパ構造に関し、特に、フレキシブル基板の剥離に使用できるものに関する。
【背景技術】
【０００２】
一般的にフレキシブル基板を剥離させる時、通常刃物で該フレキシブル基板をカットしてからスクレーパでカット後のフレキシブル基板を廃枠材内及びキャリアボード上から剥離することで、関連の後工程に移動する。
【０００３】
しかしながら、前記剥離方法から言うと、該刃物でフレキシブル基板をカットした後、該剥離しようとするフレキシブル基板と廃枠材の間にわずか刀痕が残り、かつ該刀痕も隙間だけであるため、何らかのスペースが全くなく、スクレーパで該刀痕を通じてフレキシブル基板を剥離させようとした時、簡単に該刀痕の隙間にスクレーパを挿入させることができないだけでなく、更には挿入を強行することで、カット後のフレキシブル基板を破壊してしまうため、簡単にキャリアボード上から該フレキシブル基板を剥離させることができなくなっていた。
【０００４】
よって、如何にしてキャリアボード上からフレキシブル基板を簡単に剥離させる目的を達成することで、従来の欠陥を効果的に改善するキャリアボードに載置するフレキシブル基板のカッタ・スクレーパ構造を考案するかが、本考案の積極的に開示しようとするところである。
【考案の概要】
【考案が解決しようとする課題】
【０００５】
考案者は、上記従来技術の欠陥に鑑み、鋭意研究を重ねていたところ、キャリアボードに載置するフレキシブル基板のカッタ・スクレーパ構造を開発し、該カットした後のフレキシブル基板と廃枠材の間に剥離ゾーンを発生させ、該剥離ゾーンを利用してキャリアボード上からカットした後のフレキシブル基板を剥離させることができることにより、簡単にフレキシブル基板を剥離させるという目的を達成する。
【課題を解決するための手段】
【０００６】
上記目的及び他の目的を達成するため、本考案は、キャリアボードに載置するフレキシブル基板のカッタ・スクレーパ構造を提供する。キャリアボードに載置するフレキシブル基板のカッタ・スクレーパ構造は、２個のカッタと１個のスクレーパとを含み、それらカッタの一端が各々カット端部を有し、該スクレーパがそれらカッタの間に設けられ、該スクレーパの一端が掻き落とし端部を有し、該掻き落とし端部とそれらカット端部とが同一平面上にあり、かつ該掻き落とし端部がそれらカット端部の後方に位置する。
【０００７】
上記キャリアボードに載置するフレキシブル基板のカッタ・スクレーパ構造において、それらカッタは、各々固定部と、該固定部の下方に設けられるカット部とを含み、それらカット端部が各々それらカット部の先端に設けられる。
【０００８】
上記キャリアボードに載置するフレキシブル基板のカッタ・スクレーパ構造において、それら固定部は、各々位置決め溝を備え、それら位置決め溝が該カッタの頂面に連通する縮小通路エリア及び該縮小通路エリアに連通する制限エリアを各々有する。
【０００９】
上記キャリアボードに載置するフレキシブル基板のカッタ・スクレーパ構造において、それらカット部は、各々フック状を呈する。
【００１０】
上記キャリアボードに載置するフレキシブル基板のカッタ・スクレーパ構造において、該スクレーパは、各々固定部と、該固定部の下方に設けられる掻き落とし部とを含み、該掻き落とし端部が該掻き落とし部の先端に設けられる。
【００１１】
上記キャリアボードに載置するフレキシブル基板のカッタ・スクレーパ構造において、該固定部は、位置決め溝を備え、該位置決め溝が該スクレーパの頂面に連通する縮小通路エリア及び該縮小通路エリアに連通する制限エリアを有する。
【００１２】
上記キャリアボードに載置するフレキシブル基板のカッタ・スクレーパ構造において、該掻き落とし部は、細い嘴状を呈する。
【００１３】
上記キャリアボードに載置するフレキシブル基板のカッタ・スクレーパ構造において、それらカッタと該スクレーパは、締結手段により操作設備に結合される。
【考案の効果】
【００１４】
これを介して、本考案のキャリアボードに載置するフレキシブル基板のカッタ・スクレーパ構造は、カッタとスクレーパを操作設備に結合させて使用でき、またカッタでフレキシブル基板をカットする時、スクレーパでカット経路の残材を掻き落とし、該カットした後のフレキシブル基板と廃枠材の間に剥離ゾーンを発生させることで、該剥離ゾーンを利用してキャリアボード上からカットした後のフレキシブル基板を剥離させ、従って簡単にフレキシブル基板を剥離させる目的を達成できる。
【図面の簡単な説明】
【００１５】
【図１】本考案の好ましい実施例に係るカッタとスクレーパを示す模式図である。
【図２】本考案の好ましい実施例に係る操作設備に結合した様子を示す模式図である。
【図３】本考案の好ましい実施例に係る操作設備に結合した様子の別の角度から見た模式図である。
【図４】本考案の好ましい実施例の使用状態を示す模式図である。
【考案を実施するための形態】
【００１６】
以下に、本考案の目的、特徴及び効果を十分理解してもらうため、下記の具体的な実施例について添付図面に基づき、本考案を詳細に説明する。
【００１７】
図１乃至図４を参照すると、図に示すように、本考案は、キャリアボードに載置するフレキシブル基板のカッタ・スクレーパ構造であり、少なくとも２個のカッタ１及び１個のスクレーパ２で構成される。
【００１８】
それらカッタ１の一端は、各々カット端部１０を有する。
【００１９】
該スクレーパ２は、それらカッタ１の間に設けられ、該スクレーパ２の一端が掻き落とし端部２０を有し、該掻き落とし端部２０とそれらカット端部１０とが同一平面上にあり、かつ該掻き落とし端部２０がそれらカット端部１０の後方に位置する。
【００２０】
本考案の一実施例において、それらカッタ１は、各々固定部１１と、該固定部１１の下方に設けられるカット部１２とを含み、それらカット端部１０が各々それらカット部１２の先端に設けられる。それら固定部１１は、各々位置決め溝１１１を備え、それら位置決め溝１１１が該カッタ１の頂面に連通する縮小通路エリア１１１１及び該縮小通路エリア１１１１に連通する制限エリア１１１２を各々有し、それらカット部１２が各々フック状を呈する。
【００２１】
本考案の一実施例において、該スクレーパ２は、固定部２１と、該固定部２１の下方に設けられる掻き落とし部２２とを含み、該掻き落とし端部２０が該掻き落とし部２２の先端に設けられる。該固定部２１は、各々位置決め溝２１１を備え、該位置決め溝２１１が該スクレーパ２の頂面に連通する縮小通路エリア２１１１及び該縮小通路エリア２１１１に連通する制限エリア２１１２を有し、該掻き落とし部２２が細い嘴状を呈する。
【００２２】
運用する時、該スクレーパ２をそれらカッタ１の間に挟設させ、また該スクレーパ２の固定部２１をそれらカッタ１の固定部１１と互いに対応させ、締結手段３により操作設備４（例えば、ロボットアーム）に結合させる。それらカッタ１と該スクレーパ２を結合した時、該締結手段３をそれら制限エリア１１１２、２１１２から対応するよう挿通し、それらカッタ１と該スクレーパ２がそれら縮小通路エリア１１１１、２１１１を通じて該締結手段３に制限され、そして該締結手段３を締め付けることで、それらカッタ１と該スクレーパ２が該締結手段３により該操作設備４に結合させる。
【００２３】
また、キャリアボード５からフレキシブル基板を剥離させようとした時、該操作設備４からそれらカッタ１と該スクレーパ２を移動させ、それらカッタ１がそれらカット部１２のカット端部１０により該フレキシブル基板をカットさせ、また該フレキシブル基板をカットした時、同時に該スクレーパ２の掻き落とし部２２の掻き落とし端部２０を通じてカット経路のフレキシブル基板の残材５１を掻き落とし、該カットした後のフレキシブル基板と廃枠材（図示せず）の間に剥離ゾーンＡを発生させ、該剥離ゾーンＡを利用して必要な工具を入れてキャリアボード５からカットした後のフレキシブル基板を剥離させ、従って簡単にフレキシブル基板を剥離させる効果を奏す。該剥離ゾーンＡの幅は、それらカット端部１０の間の幅が略等しく、該キャリアボード５がキャリガラスとすることができる。
【００２４】
考案の詳細な説明の項においてなされた好ましい実施例は、あくまでも本考案の技術内容を明らかにするものであって、そのような具体例にのみ限定して狭義に解釈されるべきものではないことは当業者にとって明白だろう。ここで留意すべき点は、当該実施例との等価構造変化及び置換は、いずれも本考案の範疇内にカバーする。よって本考案の保護範囲は、実用新案登録請求の範囲で特定するものに準じる。
【符号の説明】
【００２５】
１        カッタ
１０      カット端部
１１      固定部
１１１    位置決め溝
１１１１  縮小通路エリア
１１１２  制限エリア
１２      カット部
２        スクレーパ
２０      掻き落とし端部
２１      固定部
２１１    位置決め溝
２１１１  縮小通路エリア
２１１２  制限エリア
２２      掻き落とし部
３        締結手段
４        操作設備
５        キャリアボード
５１      フレキシブル基板の残料
Ａ        剥離ゾーン
【図１】
0003215220.tif 000003
【図２】
0003215220.tif 000004
【図３】
0003215220.tif 000005
【図４】
0003215220.tif 000006